(57)【特許請求の範囲】
【請求項１】
起動信号が入力されたときに予め定められた音声信号を出力する音声信号発生部２と、マイクロフォン３と、記録信号が継続している期間だけマイクロフォン３から出力される音声信号を記録する音声レコーダ部４と、音声信号発生部２から出力される音声信号または音声レコーダ部４から出力される音声信号が入力されるスピーカ５（イヤホーンを含む、以下同じ）と、再生スイッチ６と、制御部７とを備え、
前記制御部７は予め設定された時間ごとに、音声信号発生部２に起動信号を出力すると同時に、音声レコーダ部４に予め設定された期間だけ記録信号を出力するように構成され、前記音声レコーダ部４は再生スイッチ６がＯＮになったときに、記録された音声信号を前記スピーカ５に出力するように構成されていることを特徴とする携帯型の指差呼称確認装置。
【請求項２】
請求項１において、さらに、応答信号が継続している期間だけ前記マイクロフォン３から出力される音声信号の有無を判別する応答判別部９と、応答判別部９が前記マイクロフォン３から出力される音声信号の存在を確認した回数をカウントするカウンター１０と、カウンター１０のカウント数を表示する表示部１１が設けられ、前記制御部７は前記記録信号の出力期間に前記応答信号も出力するように構成されていることを特徴とする携帯型の指差呼称確認装置。
【発明の詳細な説明】
【技術分野】
【０００１】
本発明は作業者に指差呼称の実行を促すと共に、その実行の確認を行うための携帯型の指差呼称確認装置に関する。
【背景技術】
【０００２】
一般に建設現場等では作業の安全や作業品質の確保のために、作業着手前などにおいて個々の作業者が指差呼称を行い、或いは朝礼や昼食の際に行われるミーティング等を利用して危険予知活動と共に作業者全員で指差呼称を行って注意喚起や注意点の確認を行っている。作業の不安全性に関しては、例えば厚生労働省からその７７％が人間の不安全な状態及び不安全な行動による結果であるとの分析結果が報告されている。
【０００３】
特に不安全な行動に関しては人間の意識レベルに影響される。意識レベルについての文献として、例えば非特許文献１に記載されている「意識レベルの５段階」が知られている。表１は非特許文献１に記載の「意識レベルの５段階」の表であり、段階ごとの意識の状態と、それに伴う注意力・判断力の程度が示されている。この表では第III段階の意識レベルのように、明瞭な意識状態で積極的に活動している状態が望ましいとされている。
【０００４】
【表１】
0005037384.tif 000002
【０００５】
一方、前記のように作業着手前などの個々の作業者による指差呼称は、それを行った時点では作業者の意識レベルの向上に対して有効である。しかし時間の経過とともに無意識のうちにその意識レベルは低下していくため、作業開始後も第III段階の高い意識レベルを維持することは困難である。そこでこの対策として、作業者に対して以下のような指導が行われている。
【０００６】
(1) 作業前に、ものの整理整頓や配置に注意し、危険予知などを行う。
(2) 眠気を防ぐために、休憩時に体操などを行う。
(3) 作業に掛かるとき、作業者同士が声を掛け合う。
(4) 仲間の状態がおかしいと思ったときは、助け合う。
(5) 危険な作業や重要な事柄は、指差呼称する。
【０００７】
【非特許文献１】「建設業  職長安全手帳」の「安全衛生ワンポイント」の項  中央労働災害防止協会編（清文社発行）
【発明の開示】
【発明が解決しようとする課題】
【０００８】
しかし作業は一人で行う場合も多くあり、そのような状況のもとでは前記の項目（３）〜（５）に示す対策は実行されにくい。一方、作業を複数人で行う場合でも特に重要な項目（５）の指差呼称が確実に実行されているとは言い難いのが現状であり、その解決が強く望まれている。そこで本発明は、このような問題を解決することを課題とし、特に作業時間全体にわたって適宜作業者に指差呼称を促し、その実行を確認できる携帯型の指差呼称確認装置を提供することを目的とする。
【課題を解決するための手段】
【０００９】
前記課題を解決する本発明の携帯型の指差呼称確認装置は、起動信号が入力されたときに予め定められた音声信号を出力する音声信号発生部と、マイクロフォンと、記録信号が継続している期間だけマイクロフォンから出力される音声信号を記録する音声レコーダ部と、音声信号発生部から出力される音声信号または音声レコーダ部から出力される音声信号が入力されるスピーカと、再生スイッチと、制御部とを備えている。そして前記制御部は予め設定された時間ごとに、音声信号発生部に起動信号を出力すると同時に、音声レコーダ部に予め設定された期間だけ記録信号を出力するように構成され、前記音声レコーダ部は再生スイッチがＯＮになったときに、記録された音声信号を前記スピーカ（イヤホーンを含む、以下同じ）に出力するように構成されていることを特徴とする（請求項１）。
【００１０】
上記装置において、さらに、応答信号が継続している期間だけ前記マイクロフォンから出力される音声信号の有無を判別する応答判別部と、応答判別部が前記マイクロフォンから出力される音声信号の存在を確認した回数をカウントするカウンターと、カウンターのカウント数を表示する表示部を設け、前記制御部は前記記録信号の出力期間に前記応答信号も出力するように構成することができる（請求項２）。
【発明の効果】
【００１１】
請求項１に記載された本発明の携帯型の指差呼称確認装置は、例えば「指差呼称をしてください」などの予め定められた音声が音声信号発生部に記憶されており、制御部から予め設定された時間ごとに音声信号発生部に起動信号が出力され、それによってスピーカから前記の音声信号が音声となって出力し作業者に指差呼称を促す。
【００１２】
さらに制御部は上記起動信号と同時に音声レコーダ部に記録信号を出力し、その記録信号は予め設定された期間継続する。その継続期間中に作業者がマイクロフォンを装着した状態で指差呼称を実行すると、その音声はマイクロフォンから音声信号として音声レコーダ部に伝送されて記録される。従って、作業者は予め設定された時間ごとに自ら声を出して指差呼称の確認をすることを励行され、それに応じて実行することになるので、作業期間中における作業者の意識レベルを適正に維持することが可能になる。なお、上記のマイクロフォンとスピーカは、別々のものであっても、あるいはマイクロフォンとイヤホーンが一体化されたものであってもよい。    
【００１３】
このようにして、作業者は不注意な状態を回避することができるので、作業中における事故の発生を未然に防止できる。しかも音声出力や音声記録の操作は制御部からの信号により自動的に実行されるので、作業者は装置に対して特別な操作をする必要はなく、作業への支障や影響は起こらない。さらに、記録内容は再生スイッチをＯＮにすることによりスピーカから再生でき、例えば作業管理を行う監督者が再生して作業者の指差呼称の実行を確認することができ、場合によってはその後の安全指導等を適切に行うことができる。
【００１４】
上記携帯型の指差呼称確認装置において、請求項２に記載のように、さらに応答信号が継続している期間だけ前記マイクロフォンから出力される音声信号の有無を判別する応答判別部と、応答判別部が前記マイクロフォンから出力される音声信号の存在を確認した回数をカウントするカウンターと、カウンターのカウント数を表示する表示部を設け、前記制御部が前記記録信号の出力期間に前記応答信号も出力するように構成することができる。
【００１５】
このように構成すると、例えば作業管理を行う監督者が音声レコーダ部に記録された音声を再生し、その音声内容の詳細を確認しなくても、表示部に表示されたカウント数だけを瞬時に確認すれば作業者の指差呼称の実行程度を確認できる。そのため監督する対象者が多くても、その多数の指差呼称実行の確認作業を迅速に行うことができる。
【発明を実施するための最良の形態】
【００１６】
次に図面に基づいて本発明の最良の実施形態を説明する。
（第１実施形態）
図１は本発明に係る携帯型の指差呼称確認装置の第１実施形態を説明するブロック図である。指差呼称確認装置１は、全体が携帯型のケース等の収容部に収容され、音声信号発生部２、マイクロフォン３、音声レコーダ部４、スピーカ５、再生スイッチ６及び制御部７を備えており、更にそれらの機器に電源を供給するため、充電可能な電池からなる電源部８が設けられる。なおスピーカ５は収容部の表面に取り付けられ、マイクロフォン３はコードを介して、または介さずに収容部の外部で操作可能とされ、例えば作業者の胸ポケットに収容可能、またはヘッドフォンのように頭に装着可能な形状とされる。
【００１７】
音声信号発声部２は好ましくはデジタルの記録装置で構成することができ、例えば「指差呼称をしてください」のような予め定められた音声が記憶されている。音声信号発声部２は制御部７から起動信号が入力される毎に起動して記録内容を１フレーズとして音声信号をスピーカ５に出力する。そして記録内容の出力が完了すると次の起動信号が入力されるまで待機する。
【００１８】
音声レコーダ４もデジタルの記録装置で構成することが好ましく、制御部７から記録信号が出力されている期間だけマイクロフォン３からケーブル等を介して入力される音声信号を記録できるようになっている。音声レコーダ部４に記録された内容は再生スイッチ６をＯＮにすることによりスピーカ５に出力される。なお、再生スイッチ６を押しボタンで構成するときは、音声レコーダ部４は再生スイッチ６のＯＮ信号を受けた後、記録内容全部を１回の出力分としてスピーカ５に伝送するように構成される。また再生スイッチ６をＯＮ−ＯＦＦ切換スイッチで構成するときは、音声レコーダ部４は再生スイッチ６のＯＮ信号を受けている期間だけ記録内容をスピーカ５に伝送するように構成される。
【００１９】
制御部７は例えばタイマーで構成することができ、予め設定された時間ごとに、音声信号発生部に起動信号を出力すると同時に、音声レコーダ部に予め設定された期間だけ記録信号を出力するように構成される。制御部７には例えば起動信号を１５分間隔で出力し、記録信号を２０秒間出力するように設定される。
【００２０】
制御部７はマイクロコンピュータ装置などのプログラム可能な機器で構成することもできる。その場合には上記各制御信号の出力タイミングや間隔等は予めプログラムされて記憶部に記憶される。制御部７をマイクロコンピュータ装置で構成する場合は、音声信号発生部２や音声レコーダ部４もそのマイクロコンピュータ装置に組み込んで構成することもできる。
【００２１】
図２は図１の指差呼称確認装置１の動作タイミングを説明するタイムチャートである。図２には制御部７から１回目の制御信号が出力された場合と、ｎ回目の制御信号が出力された場合を代表例として示しており、装置を起動している間は制御部７から制御信号が同じ間隔で繰り返し出力される。
【００２２】
先ず１回目の場合を例に説明する。制御部７から起動信号が出力されると、音声信号発生部２が起動して音声信号がスピーカー５に出力される。音声信号発生部２の音声信号の出力期間は、音声信号の記録時間に比例するが、通常数秒〜１５秒程度で済む。制御部７からは起動信号の出力と同時に、記録信号が所定期間だけ音声レコーダ部４に出力され、それにより音声レコーダ部４が記録可能状態になる。
【００２３】
記録信号の継続期間は、マイクロフォン３による音声入力の余裕を考慮し、音声信号発生部２の音声信号の出力期間より長く設定される。例えば上記のように音声信号の出力期間が１５秒間程度の場合は、継続期間を２０〜３０秒程度に設定することが望ましい。
【００２４】
一回目の場合、実線で示すようにマイクロフォン３からの指差呼称の音声が音声レコーダ部４に入力されている。音声レコーダ部４はその音声信号を記録し、あとから再生スイッチ６をＯＮにしたとき、スピーカ５からその記録内容が音声となって再生される。
【００２５】
一方、ｎ回目の場合、点線で示すように指差呼称の音声が入力されていない。その場合は、音声レコーダ部４が記録可能状態にあるにもかかわらず、そこに音声が記録されていないので、あとから再生スイッチ６をＯＮにしてもスピーカ５からは音声が再生されない。
【００２６】
（第２実施形態）
図３は本発明に係る携帯型の指差呼称確認装置の第２実施形態を説明するブロック図である。本実施形態が図１の例と異なる部分は、応答判別部９、カウンター１０および表示部１１が追加されている点であり、そのほかは図１の例と同様に構成される。従って図１と同じ部分には同一符号を付し、重複する説明は省略する。
【００２７】
応答判別部９はマイクロフォン３からの音声信号の有無を判別するもので、制御部７から応答信号が継続している期間中、予め設定された信号レベル以上の音声信号が所定期間（例えば３秒間以上）入力されたとき、それを判別してＯＮ信号を１回だけカウンター１０に出力するように構成されている。そのため応答信号が継続している期間中、何回かの設定以上のレベルの音声信号や雑音が入力されたとしても、カウンター１０には一回だけカウントがなされる。
【００２８】
例えば作業の開始から終了までに指差呼称指令が出力した回数に相当する作業者の応答数がカウンター１０にカウントされていれば１００％応答したということになり、そのカウント数は液晶表示器などで構成される表示部１１に表示される。なおカウンター１０のカウント記録内容は適宜リセットすることができる。
【００２９】
図４は図３の指差呼称確認装置１の動作タイミングを説明するタイムチャートである。図４が図２と異なる部分は応答信号とカウンター１０のカウントの部分だけで、そのほかは同様である。制御部７から起動信号と記録信号が出力される同じタイミングで応答信号が応答判定部９に出力される。前記のように、応答判定部９はその応答信号が継続している期間だけマイクロフォン３からの音声信号による応答の有無を判別できる。
【００３０】
図４の例では、１回目の場合はマイクロフォン３からの音声信号による応答があり、応答判別部９がそれを判別してカウンター１０にＯＮ信号を出力し、カウンター１０が１回のカウントをした状況を示している。しかしｎ回目の場合には、マイクロフォン３からの音声信号による応答がないので、応答判別部９がそれを判別してカウンター１０にＯＮ信号を出力せず、カウンター１０がカウントしない状を示している。従って作業が終了した後にそのカウント数を確認すれば、その日の特定の作業者による指差呼称の応答状況を知ることができる。
【００３１】
上記実施形態では、音声信号発生部２に予め特定の音声を記録しているが、このような音声内容に限らず、作業者と予め取り決めした単純な音、音楽などを記録してもよい。また慣れ防止対策として、複数の音声信号を順番に又はランダムな順序で記録することもできる。さらに慣れ防止対策の他の方法として、制御部７の起動信号の出力タイミングを予め設定された期間の範囲内で、ランダムな時間間隔で行うように構成することもできる。
【００３２】
本発明に係る携帯型の指差呼称確認装置は、その主要部分をマイクロコンピュータ装置で構成する場合には、指差呼称確認部分だけでなく、携帯電話機能やその他ＰＤＡ（携帯形情報処理端末装置）などをそのマイクロコンピュータ装置の構成部分として付加することもできる。
【産業上の利用可能性】
【００３３】
本発明の携帯型の指差呼称確認装置は、作業者に作業中の指差呼称の実行を促すと共にその実行状況を確認するための装置として利用できる。
【図面の簡単な説明】
【００３４】
【図１】本発明に係る携帯型の指差呼称確認装置の第１実施形態を説明するブロック図。
【図２】図１の指差呼称確認装置１の動作タイミングを説明するタイムチャート。
【図３】本発明に係る携帯型の指差呼称確認装置の第２実施形態を説明するブロック図。
【図４】図３の指差呼称確認装置１の動作タイミングを説明するタイムチャート。
【符号の説明】
【００３５】
１  指差呼称確認装置
２  音声信号発生部
３  マイクロフォン
４  音声レコーダ部
５  スピーカ  
６  再生スイッチ
７  制御部
８  電源部
９  応答判別部
１０  カウンター
１１  表示部
【図１】
0005037384.tif 000003
【図２】
0005037384.tif 000004
【図３】
0005037384.tif 000005
【図４】
0005037384.tif 000006